(57)【要約】【課題】透明板の強度を低下することなく内部に乱反射部を形成することで、側端面に配置した光源の発光により透明板全面を発光させて照明並びに遮蔽する機能を備え、消光により透明状態に復元させて光の透過機能を備えることができるようにした発光性透明板を提供する。【解決手段】ガラス板２の肉厚部内部２ｂにマイクロクラック８を刻設すると共に、ガラス板２の側端面２ａにこのガラス板２の肉厚部内部２ｂに向けて発光または消光する発光ダイオード５、６を設け、これら発光ダイオード５、６の発光によって上記マイクロクラック８で乱反射した光をガラス板２の表面２ｃ及び裏面２ｄの全面から放出し、上記光源の消光によって透明状態に復元するようにすることで、ガラス板２を照明板または遮蔽板として機能させるようにした。【選択図】　　図２
2004012946.tif 000002
【特許請求の範囲】
【請求項１】
透明板２の肉厚部内部２ｂに光の乱反射部分８を刻設する一方、上記透明板２の側端面２ａに該透明板２の肉厚部内部２ｂに向けて発光し、または消光する光源５、６を設け、該光源５、６の発光によって上記乱反射部分８で乱反射した光を上記透明板２の表面２ｃ及び裏面２ｄの全面から放出し、上記光源５、６の消光によって透明状態に復元することを特徴とする発光性透明板。
【請求項２】
上記透明板２は、ガラス板であって、上記乱反射部分８が光レーザにより上記ガラス板の肉厚部内部２ｂに刻設された複数のマイクロクラック８で構成されている請求項１に記載の発光性透明板。
【請求項３】
上記光源５、６が、複数の単一色光または複数の異なる色光で構成される請求項１または２に記載の発光性透明板。
【請求項４】
上記マイクロクラックは、上記ガラス板１２の少なくとも一辺における板厚方向の異なる層毎に斜めに離間配置され、且つ斜めに離間配置されたマイクロクラック１０ａ、１０ｂ、１０ｃが上記ガラス板１２の正面視において、互いに近接して高密度に配置されている請求項２または３に記載の発光性透明板。
【発明の詳細な説明】
【０００１】
【産業上の利用分野】
本発明は、透明板の発光によって透明板全面から乱反射した光を放出し、消光によって透明状態に復元するようにした発光性透明板に関する。
【０００２】
【従来の技術】
周知の通り建物の窓枠開口部等にはガラス板又は特殊な例ではあるがアクリル板が装着されている。これらガラス板等に要求される性能は種々あるが、基本的には透明性（透光性，透視性）と非透視性（遮光性）である。
前者の透明性を満足する為にはガラス板又はアクリル板を透明ガラス板又は透明アクリル板とすると共に、遮光性を確保する為に、通常カーテンやブラインド等が併用されている。又後者の遮光性を重視するとすれば、ガラス板又はアクリル板の表面にサンドブラスト加工を施して、いわゆるくもりガラスにしたり、表面にフィルムを張り付けたりしている。
【０００３】
【発明が解決しようとする課題】
上記のように、透明性と遮光性の２つを確保する為には、前者の透明ガラス板又は透明アクリル板とカーテンないしはブラインドを併用する場合には、それら２つの部材が必要であった。又後者の場合には全く透明性が得られない上に、ガラス板はアクリル板の表面に光乱反射の為の傷をつける場合には、ガラス自体の強度を落してしまう恐れがあり、又表面にフィルムを張り付ける場合には、使用経過に伴う劣化の進行が早く耐久性に問題があった。
【０００４】
従って、本発明の目的とする所は、透明板の強度を低下することなく内部に乱反射部を形成することで、側端面に配置した光源の発光により透明板全面を発光させて照明並びに遮蔽する機能を備え、消光により透明状態に復元させて光の透過機能を備えることができるようにした発光性透明板を提供することを目的としている。即ち単一部材でありながら、透明性と遮光性の双方を備え、且つ発光板の機能を有する発光性透明板を提供するにある。
【０００５】
【課題を解決するための手段】
上記目的を達成する為に、本発明は次の技術的手段を有する。即ち、発明の実施の形態に対応する添付図面中の符号を用いてこれを説明すると、本発明は、透明板２の肉厚部内部２ｂに光の乱反射部分８を刻設する一方、上記透明板２の側端面２ａに該透明板２の肉厚部内部２ｂに向けて発光し、または消光する光源５、６を設け、該光源５、６の発光によって上記乱反射部分８で乱反射した光を上記透明板２の表面２ｃ及び裏面２ｄの全面から放出し、上記光源５、６の消光によって透明状態に復元することを特徴とする発光性透明板２である。
上記によれば、透明板２の側端面２ａに設けた光源５、６を発光させることにより乱反射部分８で乱反射した光が透明板２の表面２ｃ及び裏面２ｄの全面から光を放出し、且つ上記光源５、６の消光によって透明状態に復元する。
従って、透明板２の側端面２ａに設けた光源５、６を発光させることによって肉厚部内部２ｂに刻設された乱反射部分８で乱反射した光を透明板２の表面２ｃ及び裏面２ｄの全面から放出することで、透明板２を照明板または遮蔽板として機能させることができ、逆に光源５、６を消光させることによって通常の透明板２として機能させることができる。
【０００６】
また本発明は、上記透明板２が、ガラス板であって、上記乱反射部分８が光レーザにより上記ガラス板の肉厚部内部２ｂに刻設された複数のマイクロクラック８で構成されている発光性透明板である。
従って、光レーザを用いることにより強度を落とすことなく、ガラス板２の肉厚部内部２ｂに複数のマイクロクラック８を刻設することができる。
【０００７】
また本発明は、上記光源５、６が、複数の単一色光または複数の異なる色光で構成される発光性透明板である。
従って、光源５、６の色光の選択によって、ガラス板２に遮蔽機能の他に、例えばインテリアとしての美的機能を発揮させることができる。
【０００８】
また本発明は、上記マイクロクラックが、上記ガラス板１２の少なくとも一辺における板厚方向の異なる層毎に斜めに離間配置され、且つ斜めに離間配置されたマイクロクラック１０ａ、１０ｂ、１０ｃが上記ガラス板１２の正面視において、互いに近接して高密度に配置されている発光性透明板である。
従って、ガラス板１２の正面視において、複数のマイクロクラック１０ａ、１０ｂ、１０ｃは互いに接近した高密度の配置に見えるが、ガラス板１２の板厚方向では異なる層毎に斜めに離間配置されているので、マイクロクラック１０ａ、１０ｂ、１０ｃ同士は干渉することが無いためガラス板１２の強度が弱まることがなく、光源５、６の発光により複数のマイクロクラック１０ａ、１０ｂ、１０ｃにより乱反射して照明する光の輝度を上げることができる。
【０００９】
【発明の実施の形態】
次に、添付図面、図１〜図４に従い、本発明の発光性透明板に係る一実施形態を詳細に説明する。図１は本発明の一実施の形態における発光性透明板を窓枠に使用したもので、（Ａ）は透明状態が維持された状態の説明図、（Ｂ）は遮蔽状態が維持された状態の説明図、図２は透明板の内部を通過する光の経路を示す説明図、図３は透明板内部の肉厚部に形成された乱反射部となるマイクロクラックを示す要部拡大断面図であり、図４は透明板の側端面に各種発光ダイオードを配置した状態を示す側面図である。
【００１０】
図１において、符号１は本発明の発光性透明板として所定厚みを備えた矩形状の平板に形成されたガラス板２を嵌め込んだ窓枠であって、窓枠１の左右側端部には光源となる複数の発光ダイオード５、６が両側辺に沿って所定間隔毎に配置されている。
【００１１】
ガラス板２の肉厚部内部２ｂには後述する乱反射部が設けられていて、発光ダイオード５、６が発光されていない状態では、ガラス板２は透明状態が保たれており、図１の（Ａ）に示すように室内から外の景色が見える状態となっている。
【００１２】
また、電源スイッチＳＷを入れて発光ダイオード５、６を同時に発光させると、発光ダイオード５、６の光が乱反射部分８で乱反射してガラス板２全体が発光して、その表面２ｃ及び裏面２ｄから放出され、図１の（Ｂ）に示すようにガラス板２が遮蔽される。
【００１３】
次に、発光性透明板に付き図２、図３を参照して詳述する。
【００１４】
発光性透明板を構成するガラス板２は、両側辺に沿って同じ機能を有する発光ダイオード５、６が配置されており、本実施形態ではガラス板２の１辺に配置された発光ダイオード５に付き説明する。
【００１５】
光源となる発光ダイオード５は、例えば３個の発光ダイオード５ａ、５ｂ、５ｃから構成されており、電源スイッチＳＷの切換え操作によって対向側端面の発光ダイオード６と共に同時に発光、または消光するようになっている。
【００１６】
ガラス板２の肉厚部内部２ｂには、乱反射部分としての複数のマイクロクラック８が刻設されており、本実施形態では光レーザを用いて亀裂を形成するもので、光密度が肉厚部内部２ｂで一定限度を超えた場合のオプチカルブレイク現象を利用して形成される。
【００１７】
上記マイクロクラック８は、直径０．１ｍｍ以下の大きさとなり、それ自体無色であるため側端面の発光ダイオード５ａ、５ｂ、５ｃが消光時には透明ガラスと同様に透光機能を有することができる。
【００１８】
また、マイクロクラックをガラス板２の内面に効果的に配置することで、ガラス強度を保ったまま高輝度で光を放出することができ、発光色を変える等の処理を行なうことでインテリアとしての機能も併せ持つことができる。
【００１９】
すなわち、マイクロクラック８は、ガラス板２の肉厚部内部全体に高密度に均等に配置形成することで、発光ダイオード５ａ、５ｂ、５ｃの発光によりガラス板２が遮蔽機能（ブラインド機能）と照明機能を得ることができるが、配置を適宜変更すれば、所望の表示画として文字、図形、記号、模様、図柄または写真などとして表現することもできる。
【００２０】
３個の発光ダイオード５ａ、５ｂ、５ｃは、それぞれ異なった色光が用いられ、本実施形態では、図４に示すように色の三原色が使用されている。すなわち、色の三原色とは、何れか２色を選択して混ぜ合わせることにより、若しくは３色全てを混ぜ合わせることにより、三原色とした３色光以外の色光を作り出すことができるもので、図中斜線で示す赤、梨地で示す青、クロスハッチで示す黄の３色が用いられている。
【００２１】
尚、３原色としてはこれらの赤、青、黄に限らず、その他の組み合わせが考えられるが、例えば、その他の代表的なものとして赤、緑、青の３色光を用いることができ、混ぜ合わせる色光それぞれの量に応じて他の色合いを作り出すことも可能である。
【００２２】
上記のように構成することにより、図２に示すように光源である発光ダイオード５ａ、５ｂ、５ｃの発光により、ガラス板２の側端面２ａから内部に向けて照射された光は、一部の水平光が肉厚部内部２ｂを直進するが、殆どの傾斜光は図に示す臨界角を超えて、ガラス板２の表面２ｃと裏面２ｄとの間でジグザグに反射しつつ対向する側端面２ａへと進む。
【００２３】
そして、対向する図示しない側端面に到達した光は、ここが発光ダイオード６を設けない場合には、鏡面になっているため反射されて、再度、表面２ｃと裏面２ｄ間で反射しつつ戻ることになり、この反射が繰り返されて上記肉厚部内部２ｂを通過する。この為、鏡面によって光が無駄に外方に漏れるのを防止することができる。
【００２４】
上記のように、光がガラス板２の肉厚部内部２ｂを通過する間に、マイクロクラック８に当たった光は、あらゆる方向に乱反射して、その内の臨界角以内の傾斜角をもった光は、ガラス板２の表面２ｃまたは裏面２ｄから放出される。
【００２５】
この放出される光が室内に放出される場合は、室内の明かりと相俟って軟らかな照明光となる。また、ガラス窓の外側では高輝度な光となって放出されるためブラインド機能を発揮することができる。
【００２６】
次に、図５の（Ａ）、（Ｂ）は他の実施形態を示し、上記実施形態と同一構成部分には同一符号を付して重複する説明を省略して説明する。尚、図中各種○印は厚み方向の異なる層毎に配置されたマイクロクラックの概念を示すものであり、同一層に配置されるマイクロクラックは同一符号で示している。
【００２７】
この実施形態では、上記矩形のガラス板１２の角を挟む両辺の板厚方向の異なる層毎に、上層から順に複数のマイクロクラック１０ａ、１０ｂ、１０ｃが等間隔で板厚の範囲で繰り返し斜めに離間配置されており、角を挟む両辺の板厚方向の異なる層に配置された複数のマイクロクラック１０ａ、１０ｂ、１０ｃは、上記ガラス板１２の正面視において、互いに近接して高密度に配置されている。
【００２８】
このようにマイクロクラック１０ａ、１０ｂ、１０ｃを配置することで、ガラス板１２の正面視において、複数のマイクロクラック１０ａ、１０ｂ、１０ｃは互いに接近した高密度の配置に見えるが、ガラス板１２の板厚方向では角を挟む両辺の異なる層毎に斜めに離間配置されているので、マイクロクラック１０ａ、１０ｂ、１０ｃ同士は、互いに干渉することが無いためガラス板１２自体の強度が弱まることがなく、光源５、６の発光により高密度に配置された複数のマイクロクラック１０ａ、１０ｂ、１０ｃにより乱反射して光の照明輝度を上げることができる。
【００２９】
上記に於いてはガラス板１２を用いた例を示したが、アクリル板に代えて行うこともできる。
【００３０】
【発明の効果】
以上詳述した如く本願の請求項１記載の発明によると、透明板の側端面に設けた光源の発光によって肉厚部内部に刻設された乱反射部分で乱反射した光を透明板の表面及び裏面の全面から放出することで、透明板を照明板または遮蔽板として機能させることができ、逆に光源の消光によって通常の透明板として機能させることができる。
【００３１】
本願の請求項２記載の発明によると、光レーザを用いることによりガラス板の強度を落とすことなく、肉厚部内部に複数のマイクロクラックを刻設することができる。
【００３２】
本願の請求項３記載の発明によると、光源の色光の選択によってガラス板が遮蔽機能の他に、例えばインテリアとしての美的機能を発揮させることができる。
【００３３】
本願の請求項４記載の発明によると、ガラス板の板厚方向で異なる層毎に複数のマイクロクラックを斜めに離間配置することにより、ガラス板の正面視において複数のマイクロクラックが互いに接近した高密度の配置になるが、マイクロクラック同士は干渉することが無いためガラス板の強度が弱まることがなく、光源の発光により複数のマイクロクラックにより乱反射して照明する光の輝度を上げることができる。
【図面の簡単な説明】
【図１】本発明の一実施形態における発光性透明板を窓枠に使用したもので、（Ａ）は透明状態が維持された状態の説明図、（Ｂ）は遮蔽状態が維持された状態の説明図である。
【図２】本発明の一実施形態に係る透明板の内部を通過する光の経路を示す説明図である。
【図３】本発明の一実施形態に係る透明板内部の肉厚部に形成された乱反射部となるマイクロクラックを示す要部拡大断面図である。
【図４】本発明の一実施形態に係る透明板の側端面に各種発光ダイオードを配置した状態を示す側面図である。
【図５】本発明の他の実施形態に係る透明板の板厚方向の各層毎にマイクロクラックを離間配置した状態を示し、（Ａ）はその正面図であり、（Ｂ）は側面図である。
【符号の説明】
１　　　　　　　　　　　窓枠
２　　　　　　　　　　　ガラス板（透明板）
２ａ　　　　　　　　　　側端面
２ｂ　　　　　　　　　　肉厚部内部
２ｃ　　　　　　　　　　表面
２ｄ　　　　　　　　　　裏面
５、６　　　　　　　　　発光ダイオード（光源）
５ａ、５ｂ、５ｃ　　　　発光ダイオード（光源）
８　　　　　　　　　　　マイクロクラック（乱反射部分）
１０ａ、１０ｂ、１０ｃ　マイクロクラック（乱反射部分）
１２　　　　　　　　　　ガラス板
ＳＷ　　　　　　　　　　電源スイッチ
【図１】
2004012946.tif 000003
【図２】
2004012946.tif 000004
【図３】
2004012946.tif 000005
【図４】
2004012946.tif 000006
【図５】
2004012946.tif 000007